(57)【要約】      （修正有）【課題】洗浄用水として使用上の便宜性の高い強アルカリ性域の液性をもつ電解水を、小規模利用を目的として、安価で簡便に安全に生成できる装置を提供すること。【解決手段】装置に、陽、陰電極板間を多孔板で仕切られている電解槽２９が収蔵固定されており、電解原液を製造、供給する槽１５、１９、製品を貯液する製品槽３６、供給電源、制御機構、操作部、表示部等を配置した制御盤から構成されていて、電解槽には圧縮された気体（空気、窒素等）を供給しｐＨ１２．５以上の強アルカリ性電解水を生成する。【選択図】図２
2012096215.tif 000002
【特許請求の範囲】
【請求項１】
電解槽の中に２枚の電極板を略平行に相対するように設置し、各枚の電極板に給電し、２枚の電極板に挟まれた空間の中間に仕切り板を設置し各枚の電極板を浸すように該槽に供給された塩化ナトリウム溶液を電気分解する電解槽であって、仕切り板で仕切られているそれぞれの流水路は、流れる液体が途中で相互に混合しないように構成されていることを特徴とする電解槽
【請求項２】
請求項１記載の電解槽において、２枚の電極板に挟まれた空間の中間に設置された仕切り板は１μｍ〜５００μｍの穴が開いている多孔板を使用している事を特徴とする請求項１記載の電解槽
【請求項３】
請求項１記載の電解槽において、それぞれの電極の流水路を流れる塩化ナトリウム溶液は、電極板と仕切り板の間の流水路を流れるが、塩化ナトリウム溶液の入口は槽の下部に設置され、陰、陽極それぞれの入口を持ち、同出口も同様にそれぞれの出口を持つ事を特徴とする請求項１記載の電解槽
【請求項４】
請求項１記載の電解槽において、陽極と仕切り板に仕切られた流路に底部より空気、又は窒素などの気体を流入させる流入口および、同上部に流入した気体を流出させる流出口を設置している事を特徴とする請求項１記載の電解槽
【請求項５】
請求項１記載の電解槽において、請求項３の気体の流入部に１μｍ〜５００μｍの穴のある多孔板が設置される構造を特徴とする電解槽
【請求項６】
請求項１または請求項２、３、４、５記載の電解槽を用いたアルカリ水の生成法
【発明の詳細な説明】
【技術分野】
【０００１】本発明は塩化ナトリウム溶液を電気分解して洗浄用水を生成する装置に関する。
【背景技術】
【０００２】塩化ナトリウム溶液を電気分解し、電極還元することによって得られる、次亜塩素酸又は次亜塩素酸イオン溶液を洗浄剤として利用することは古くから行われており、毒性の強い洗浄剤を流通したり保蔵する必要がないなどの利便性のために、広く利用されている。それらの中でも、近年になって利用され始めた、液性が微アルカリ性から強アルカリ性のものは、即効的な効果や、クロロホルム生成の危惧が無いなどの理由で急速に普及しつつある。とりわけ、強アルカリ電解水は、幅広い効果に加えて、良好な保存性や使用環境への悪影響の少なさなどの特徴が評価され、社会に主要な洗浄剤としての地位を築きつつある。
さて、電気分解によって洗浄水を生成する方法として現在知られているものは次の通りである。特許文献１は、陽極と陰極が導電性の隔膜で仕切られた有隔膜式電解槽を使って塩素イオン溶液を電解し、陽極側から得られる強酸性の液をそのまま殺菌用に利用する技術である。この方法で得られた陰極側のアルカリ電解水のｐＨは高く無くｐＨ１０〜１１．５程度のために、洗浄成分が低いのが欠点である
【特許文献１】特願平８−２７８６９６
【発明の開示】
【発明が解決しようとする課題】
【０００３】  本発明が解決しようとする課題は、洗浄用水として使用上の便宜性の高いアルカリ電解水のｐＨを現状のｐＨ１１程度から恒常的にｐＨ１２．５以上の非常に洗浄性の高い電解水を、小規模利用を目的として、安価で簡便に安全に生成できる装置を提供することである。
【課題を解決するための手段】
【０００４】本発明者は課題を解決するために、次のように構成された電解槽を発明した。
電解槽は（７）陽極と（８）陰極の２極を平行に設置してその中間に（６）多孔板で仕切りをしている
構造として、電解槽下部から（７）陽極、（８）陰極それぞれに同じ量の塩化ナトリウム溶液を（２）（３）供給口から供給し電解槽上部から供給口と同じくそれぞれの電解液の（９）（１０）出口を設けた。また、電解槽下部に陽極と、陽極、陰極の中間に設置された（５）多孔板の間に空気、窒素などの気体噴射する気体の（１）供給口を設け、気体を微細化、及び拡散する為、（７）（８）電極間に設置されている（６）多孔板と同等の（５）多孔板を供給口に取付け、隙間無く、気体を陽極側で生成する酸化電解水側に噴射する構造とした
この構造により陽極側で生成された塩素を直ちにガス相（空気等）に取り込み、次亜塩素酸及び塩酸生成を抑え、（８）陰極から（７）陽極側への酸性イオンの移動は濃度差により、より促進する事が可能となりｐＨ１２．５以上のアルカリ液を生成することが可能となり、課題を解決し、本発明を完成した。
反応式  ＣＬ２＋Ｈ２Ｏ⇒ＨＣＬＯ＋ＨＣＬ
（この反応に於いて、塩素ガスを直ちに除去、及び次亜塩素酸水からの放散を行う）
【発明の効果】
【０００５】本発明の効果は、洗浄用水として使用上の便宜性の高いアルカリ性域の液性をもつ電解水を、小規模利用を目的として、安価で、簡便に安全に生成できる装置を提供したことである。これによって、多くの場面で多くの人が安全で効果的な洗浄剤としてのアルカリ性の電解水を利用することができるようになり、公衆衛生に寄与するところ大である。
【発明を実施するための最良の形態】
【０００６】本発明を実施するための最良の形態は次の通りである。先ず、原料液には３％以上の塩化ナトリウム溶液を使うのが望ましい。生成した電解水のｐＨを高アルカリ性域に保つのが容易であるからである。装置は、多孔板の隔壁を持った電解槽が収蔵固定された生成スペースと、原水を製造するＮａＣｌ投入槽、ＮａＣｌ供給タンクの原水製造スペース、生成された酸性水槽と同、強アルカリ水槽の製品スペース、本装置の電源、制御を行う制御盤から構成する。制御盤には電圧１Ｖ〜５Ｖ、電流１Ａ〜３００Ａの電解用の直流電源、電解時間や安全確保の制御機構、ランプやブザーなどの報知機構を配置する。
原液製造供給スペースにはＮａＣｌを投入後規定の水道水を供給しＮａＣｌ濃度を規定値に保ち、攪拌によりＮａＣｌを溶解後ＮａＣｌ供給タンクに移送するポンプを有しているＮａＣｌ投入槽、供給されたＮａＣｌ溶液を電解槽に規定量供給する供給ポンプ、溶解されたＮａＣｌが沈殿しないよう攪拌する攪拌機を有するＮａＣｌ供給槽で構成されている。製品スペースは生成された酸性電解水槽とそれを供給するポンプ、同高アルカリ水槽とそれを供給するポンプから構成される。
また、噴射用気体の配管には圧力計、二次側圧力調整器、バルブを設置して一次側圧力が０．７ＭＰａ程度で二次側圧力は規定値に調整可能で適切な圧力で噴射可能とした。
同出口配管は装置出口に配管され外部への放出が安易に行えるよう設置した。
以上各機器を適切に設置、配置することで所定の洗アルカリ性電解水が生成されるのである。
尚、多孔板で脱気しない場合の陰極水は塩酸の陽極側への拡散によりｐＨ１２．３以上にならなかった。
【実施例】
【０００７】次に本発明に対する理解をさらに深めるために実施例を示して詳しく説明するが、本特許の範囲を本実施例に限定する趣旨ではない。
図１は実施例装置、強アルカリ電解槽（ホクエツ社製）の側面図で、断面図で示した。
図２は同装置のフロー図である。
（１５）ＮａＣｌ投入槽（ダイライト社製角型１００Ｌ容器）の天板部には（１６）攪拌機（東京理化製ＮＺ−１３００）、（１７）供給ポンプ（ホクエツ社製ダイヤフラムポンプ）が設置されている。この槽にＮａｃｌ（ＮａＣｌ精製塩）を５ｋｇ投入後、水道水（大和市上水道）を９５ｋｇ投入、（１６）攪拌機で溶解し、製造された５％塩化ナトリウム溶液は（１７）供給ポンプで（１９）供給槽（ダイライト社製角型１００Ｌ容器）に供給される、同槽天板部には（１８）攪拌機（東京理化製ＮＺ−１３００）、（２０）供給ポンプ（ホクエツ社製ダイヤフラムポンプ）が設置されていて、（１８）攪拌機で溶解されたＮａｃｌの沈降防止を行い、（２０）供給ポンプで電解槽にＮａｃｌ溶液が連続的に供給される、供給量は（２１）（２３）流量調整バルブ（セキスイ社製グローブ弁）を介し（２２）（２４）流量確認用流量計（東京計装製面積式流量計）で流量を調整、監視して（２９）電解槽に規定量を供給する。
電解槽には制御盤から直流電源５Ｖ、５Ａを給電。また、０．５ＭＰａ圧縮空気を装置に供給、（２６）二次側圧力調整弁で０．０２ＭＰａに減圧後、（２９）電解槽に供給して電解を行った結果、陽極側からｐＨ１．６の酸性電解水、陰極側からｐＨ１２．７の高アルカリ電解水が得られた。得られた酸性電解水は（３２）酸性電解水槽（ダイライト社製角型５０Ｌ容器）に貯液され陰極水は（３６）アルカリ水槽（ダイライト社製角型５０Ｌ容器）に貯液された後、（３３）（３７）各送液ポンプ（ホクエツ社製ダイヤフラムポンプ）でユースポイントに供給される。
【産業上の利用可能性】
【０００８】本発明は工業向けの安価で安全な、強アルカリ電解水の生成装置を供給することを可能にして、厨房機械、器具類、機械加工品の脱脂、工場などの床面、壁面、作業服、クリーニング業、洗濯洗剤の代用、浴槽の洗浄など広く使用される事となる。
【図面の簡単な説明】
【０００９】
【図１】実施例装置、電解槽の断面図を示した図面である。
【図２】実施例装置のフロー図を示した図面である。
【符号の説明】
【００１０】  １．気体入口ノズル
２．陽極側塩化ナトリウム入口ノズル
３．陰極側塩化ナトリウム入口ノズル
４．電解槽ケーシング
５．気体拡散用多孔板
６．多孔板
７．陽極板
８．陰極板
９．陽極側塩化ナトリウム出口ノズル
１０．陰極側塩化ナトリウム出口ノズル
１１．気体出口ノズル
１２．陽極給電棒
１３．陰極給電棒
１４．水道水供給配管
１５．ＮａＣｌ投入槽
１６．ＮａＣｌ投入槽攪拌機
１７．ＮａＣｌ投入槽ポンプ
１８．ＮａＣｌ供給槽攪拌機
１９．ＮａＣｌ供給槽
２０．ＮａＣｌ供給槽ポンプ
２１．陽極側塩化ナトリウム溶液供給量調整バルブ
２２．陽極側塩化ナトリウム溶液供給量監視流量計
２３．陰極側塩化ナトリウム溶液供給量調整バルブ
２４．陰極側塩化ナトリウム溶液供給量監視流量計
２５．気体配管
２６．二次側圧力調整弁
２７．二次側圧力計
２８．気体供給量調整弁
２９．電解槽
３０．気体出口配管
３１．陽極水（酸性電解水）出口配管
３２．酸性電解水供貯槽
３３．酸性電解水供給ポンプ
３４．酸性電解水供給配管
３５．陰極水（高アルカリ電解水）出口配管
３６．高アルカリ電解水貯槽
３７．高アルカリ電解水供給ポンプ
３８．高アルカリ電解水供給配管
【図１】
2012096215.tif 000003
【図２】
2012096215.tif 000004